(57)【要約】代理サーバを介してクライアント端末装置がコンテンツ・サーバと通信する場合に，その履歴が分かるようにする。メニュー・ページ・リクエストが端末装置から代理サーバに送信される。メニュー・ページにはコンテンツ・サーバへのリンクが埋め込まれており，そのリンク先のＵＲＬが変換されたメニュー・ページを表すデータが端末装置に送信される。メニュー・ページに埋め込まれているリンク先のウェブ・ページがリクエストされると，代理サーバにおいて変換前のリンク先のＵＲＬに戻されて，コンテンツ・サーバにウェブ・ページがリクエストされる。端末装置からリクエストされたウェブ・ページが代理サーバにおいて記憶され，複数のコンテンツ・サーバのウェブ・ページに端末装置からリクエストがあっても履歴が分かる。
2009110622.tif 000002
【特許請求の範囲】
【請求項１】
クライアント端末装置と代理サーバと複数のコンテンツ・サーバとを備えた通信システムを構成する代理サーバにおいて，
上記複数のコンテンツ・サーバのウェブ・ページを示す複数のＵＲＬがリンク先として埋め込まれているウェブ・ページにおいて，埋め込まれている複数のＵＲＬを変換するＵＲＬ変換手段，
上記ＵＲＬ変換手段によって変換された複数のＵＲＬが埋め込まれているウェブ・ページを表すウェブ・ページ・データを上記クライアント端末装置に送信するウェブ・ページ・データ送信手段，
上記ウェブ・ページ・データ送信手段によってウェブ・ページ・データが上記クライアント端末装置に送信されたことに応じて，上記クライアント端末装置において選択され，かつ上記クライアント端末装置から送信された上記複数のＵＲＬのうちの一のＵＲＬによって表されるウェブ・ページをリクエストするリクエスト・データを受信するウェブ・ページ・リクエスト受信手段，
上記ウェブ・ページ・リクエスト受信手段によって受信したリクエスト・データにより表される変換後のＵＲＬを変換前のＵＲＬに戻すＵＲＬ逆変換手段，
上記ＵＲＬ逆変換手段によって変換前のものに戻されたＵＲＬを記憶するように記憶手段を制御する記憶制御手段，
上記ＵＲＬ逆変換手段によって戻されたＵＲＬによって特定されるウェブ・ページをリクエストするリクエスト・データを，上記複数のコンテンツ・サーバのうち，変換前のものに戻されたＵＲＬのウェブ・ページによって表されるコンテンツ・サーバに送信するリクエスト・データ送信手段，
上記リクエスト・データ送信手段から送信されたリクエスト・データが上記コンテンツ・サーバにおいて受信されたことに応じて，上記コンテンツ・サーバから送信されるウェブ・ページ・データを受信するウェブ・ページ・データ受信手段，および
上記ウェブ・ページ・データ受信手段によって受信されたウェブ・ページ・データによって表されるウェブ・ページに，上記コンテンツ・サーバのウェブ・ページを示すＵＲＬがリンク先として埋め込まれているときに，埋め込まれているＵＲＬを変換するように上記ＵＲＬ変換手段を制御するＵＲＬ変換制御手段，
を備えた代理サーバ。
【請求項２】
クライアント端末装置と代理サーバと複数のコンテンツ・サーバとを備えた通信システムを構成する代理サーバの制御方法において，
ＵＲＬ変換手段が，上記複数のコンテンツ・サーバのウェブ・ページを示す複数のＵＲＬがリンク先として埋め込まれているウェブ・ページにおいて，埋め込まれている複数のＵＲＬを変換し，
ウェブ・ページ・データ送信手段が，上記ＵＲＬ変換手段によって変換された複数のＵＲＬが埋め込まれているウェブ・ページを表すウェブ・ページ・データを上記クライアント端末装置に送信し，
ウェブ・ページ・リクエスト受信手段が，上記ウェブ・ページ・データ送信手段によってウェブ・ページ・データが上記クライアント端末装置に送信されたことに応じて，上記クライアント端末装置において選択され，かつ上記クライアント端末装置から送信された上記複数のＵＲＬのうちの一のＵＲＬによって表されるウェブ・ページをリクエストするリクエスト・データを受信し，
ＵＲＬ逆変換手段が，上記ウェブ・ページ・リクエスト受信手段によって受信したリクエスト・データにより表される変換後のＵＲＬを変換前のＵＲＬに戻し，
記憶制御手段が，上記ＵＲＬ逆変換手段によって変換前のものに戻されたＵＲＬを記憶するように記憶手段を制御し，
リクエスト・データ送信手段が，上記ＵＲＬ逆変換手段によって戻されたＵＲＬによって特定されるウェブ・ページをリクエストするリクエスト・データを，上記複数のコンテンツ・サーバのうち，変換前のものに戻されたＵＲＬのウェブ・ページによって表されるコンテンツ・サーバに送信し，
ウェブ・ページ・データ受信手段が，上記リクエスト・データ送信手段から送信されたリクエスト・データが上記コンテンツ・サーバにおいて受信されたことに応じて，上記コンテンツ・サーバから送信されるウェブ・ページ・データを受信し，
ＵＲＬ変換制御手段が，上記ウェブ・ページ・データ受信手段によって受信されたウェブ・ページ・データによって表されるウェブ・ページに，上記コンテンツ・サーバのウェブ・ページを示すＵＲＬがリンク先として埋め込まれているときに，埋め込まれているＵＲＬを変換するように上記ＵＲＬ変換手段を制御する，
代理サーバの制御方法。
【請求項３】
クライアント端末装置と代理サーバと複数のコンテンツ・サーバとを備えた通信システムを構成する代理サーバを制御するプログラムであって，
上記複数のコンテンツ・サーバのウェブ・ページを示す複数のＵＲＬがリンク先として埋め込まれているウェブ・ページにおいて，埋め込まれている複数のＵＲＬをＵＲＬ変換手段によって変換させ，
変換された複数のＵＲＬが埋め込まれているウェブ・ページを表すウェブ・ページ・データを上記クライアント端末装置に送信させ，
ウェブ・ページ・データが上記クライアント端末装置に送信されたことに応じて，上記クライアント端末装置において選択され，かつ上記クライアント端末装置から送信された上記複数のＵＲＬのうちの一のＵＲＬによって表されるウェブ・ページをリクエストするリクエスト・データを受信させ，
受信したリクエスト・データにより表される変換後のＵＲＬを変換前のＵＲＬに戻させ，
変換前のものに戻されたＵＲＬを記憶するように記憶手段を制御させ，
戻されたＵＲＬによって特定されるウェブ・ページをリクエストするリクエスト・データを，上記複数のコンテンツ・サーバのうち，変換前のものに戻されたＵＲＬのウェブ・ページによって表されるコンテンツ・サーバに送信させ，
送信されたリクエスト・データが上記コンテンツ・サーバにおいて受信されたことに応じて，上記コンテンツ・サーバから送信されるウェブ・ページ・データを受信させ，
受信されたウェブ・ページ・データによって表されるウェブ・ページに，上記コンテンツ・サーバのウェブ・ページを示すＵＲＬがリンク先として埋め込まれているときに，埋め込まれているＵＲＬを変換するように上記ＵＲＬ変換手段を制御するように代理サーバを制御するプログラム。
【発明の詳細な説明】
【技術分野】
【０００１】
この発明は，代理サーバ，その制御方法およびその制御プログラムに関する。
【背景技術】
【０００２】
携帯電話では，扱えるＵＲＬの長さに制限があるために，その制限にかかわらずウェブ・ページにアクセスできるようにするものがある（特開２００３−１４１００２号公報）。
携帯電話のようなクライアント端末装置においては，コンテンツ・サーバとクライアント端末装置とが直接に通信せずに代理サーバ（プロキシ・サーバ）を介して通信することがある。このように，クライアント端末装置が代理サーバを介してコンテンツ・サーバと通信する場合において，代理サーバに複数のコンテンツ・サーバが接続されているときにクライアント端末装置が複数のコンテンツ・サーバと通信すると，その履歴が分からないことが多く，アクセス解析ができないことがある。
【発明の開示】
【０００３】
この発明は，代理サーバを介して複数のコンテンツ・サーバと通信する場合に，その履歴が分かるようにすることを目的とする。
この発明は，クライアント端末装置と代理サーバと複数のコンテンツ・サーバとを備えた通信システムを構成する代理サーバにおいて，上記複数のコンテンツ・サーバのウェブ・ページを示す複数のＵＲＬがリンク先として埋め込まれているウェブ・ページにおいて，埋め込まれている複数のＵＲＬを変換するＵＲＬ変換手段（ＵＲＬ変換デバイス），上記ＵＲＬ変換手段によって変換された複数のＵＲＬが埋め込まれているウェブ・ページを表すウェブ・ページ・データを上記クライアント端末装置に送信するウェブ・ページ・データ送信手段（ウェブ・ページ・データ送信デバイス），上記ウェブ・ページ・データ送信手段によってウェブ・ページ・データが上記クライアント端末装置に送信されたことに応じて，上記クライアント端末装置において選択され，かつ上記クライアント端末装置から送信された上記複数のＵＲＬのうちの一のＵＲＬによって表されるウェブ・ページをリクエストするリクエスト・データを受信するウェブ・ページ・リクエスト受信手段（ウェブ・ページ・リクエスト受信デバイス），上記ウェブ・ページ・リクエスト受信手段によって受信したリクエスト・データにより表される変換後のＵＲＬを変換前のＵＲＬに戻すＵＲＬ逆変換手段（ＵＲＬ逆変換デバイス），上記ＵＲＬ逆変換手段によって変換前のものに戻されたＵＲＬを記憶するように記憶手段を制御する記憶制御手段（記憶制御デバイス），上記ＵＲＬ逆変換手段によって戻されたＵＲＬによって特定されるウェブ・ページをリクエストするリクエスト・データを，上記複数のコンテンツ・サーバのうち，変換前のものに戻されたＵＲＬのウェブ・ページによって表されるコンテンツ・サーバに送信するリクエスト・データ送信手段（リクエスト・データ送信デバイス），上記リクエスト・データ送信手段から送信されたリクエスト・データが上記コンテンツ・サーバにおいて受信されたことに応じて，上記コンテンツ・サーバから送信されるウェブ・ページ・データを受信するウェブ・ページ・データ受信手段（ウェブ・ページ・データ受信デバイス），および上記ウェブ・ページ・データ受信手段によって受信されたウェブ・ページ・データによって表されるウェブ・ページに，上記コンテンツ・サーバのウェブ・ページを示すＵＲＬがリンク先として埋め込まれているときに，埋め込まれているＵＲＬを変換するように上記ＵＲＬ変換手段を制御するＵＲＬ変換制御手段（ＵＲＬ変換制御デバイス）を備えていることを特徴とする。
この発明は，上記代理サーバに適した制御方法も提供している。すなわち，この方法は，クライアント端末装置と代理サーバと複数のコンテンツ・サーバとを備えた通信システムを構成する代理サーバの制御方法において，ＵＲＬ変換手段が，上記複数のコンテンツ・サーバのウェブ・ページを示す複数のＵＲＬがリンク先として埋め込まれているウェブ・ページにおいて，埋め込まれている複数のＵＲＬを変換し，ウェブ・ページ・データ送信手段が，上記ＵＲＬ変換手段によって変換された複数のＵＲＬが埋め込まれているウェブ・ページを表すウェブ・ページ・データを上記クライアント端末装置に送信し，ウェブ・ページ・リクエスト受信手段が，上記ウェブ・ページ・データ送信手段によってウェブ・ページ・データが上記クライアント端末装置に送信されたことに応じて，上記クライアント端末装置において選択され，かつ上記クライアント端末装置から送信された上記複数のＵＲＬのうちの一のＵＲＬによって表されるウェブ・ページをリクエストするリクエスト・データを受信し，ＵＲＬ逆変換手段が，上記ウェブ・ページ・リクエスト受信手段によって受信したリクエスト・データにより表される変換後のＵＲＬを変換前のＵＲＬに戻し，記憶制御手段が，上記ＵＲＬ逆変換手段によって変換前のものに戻されたＵＲＬを記憶するように記憶手段を制御し，リクエスト・データ送信手段が，上記ＵＲＬ逆変換手段によって戻されたＵＲＬによって特定されるウェブ・ページをリクエストするリクエスト・データを，上記複数のコンテンツ・サーバのうち，変換前のものに戻されたＵＲＬのウェブ・ページによって表されるコンテンツ・サーバに送信し，ウェブ・ページ・データ受信手段が，上記リクエスト・データ送信手段から送信されたリクエスト・データが上記コンテンツ・サーバにおいて受信されたことに応じて，上記コンテンツ・サーバから送信されるウェブ・ページ・データを受信し，ＵＲＬ変換制御手段が，上記ウェブ・ページ・データ受信手段によって受信されたウェブ・ページ・データによって表されるウェブ・ページに，上記コンテンツ・サーバのウェブ・ページを示すＵＲＬがリンク先として埋め込まれているときに，埋め込まれているＵＲＬを変換するように上記ＵＲＬ変換手段を制御するものである。
この発明は，上記代理サーバの制御方法を実現するためのプログラムも提供している。
この発明によると，複数のコンテンツ・サーバのウェブ・ページを示す複数のＵＲＬがリンク先として埋め込まれているウェブ・ページにおいて，その複数のＵＲＬが変換される。変換されたＵＲＬが埋め込まれているウェブ・ページを表すウェブ・ページ・データが代理サーバからクライアント端末装置に送信される。クライアント端末装置において，複数のＵＲＬの中から一つのＵＲＬが選択され，選択されたＵＲＬのリクエスト・データが代理サーバに送信される。代理サーバにおいて，リクエスト・データが受信されると選択されたＵＲＬの変換前のＵＲＬに戻される。戻されたＵＲＬが記憶されるとともに，戻されたＵＲＬによって特定されるウェブ・ページをリクエストするリクエスト・データがコンテンツ・サーバに送信される。コンテンツ・サーバから代理サーバに，リクエストされたウェブ・ページを表すデータが送信される。リクエストされたウェブ・ページにＵＲＬが埋め込まれているときには，再びＵＲＬが変換される。変換されたＵＲＬが埋め込まれているウェブ・ページが代理サーバからクライアント端末装置に送信される。
代理サーバには，クライアント端末装置からリクエストされたコンテンツ・サーバのＵＲＬが記憶されるので，クライアント端末装置が代理サーバを介して複数のコンテンツ・サーバにアクセスしてもアクセス履歴が分かる。
また，この発明は，クライアント端末装置と代理サーバと複数のコンテンツ・サーバとを備えた通信システムについても提供している。
上記代理サーバは，上記クライアント端末装置から送信され，上記複数のコンテンツ・サーバのウェブ・ページを示すＵＲＬが埋め込まれているメニュー・ページをリクエストするメニュー・リクエスト・データを受信するメニュー・リクエスト・データ受信手段（メニュー・リクエスト・データ受信デバイス），上記メニュー・リクエスト・データ受信手段によってメニュー・リクエスト・データを受信したことに応じて，上記クライアント端末装置の識別データを生成する識別データ生成手段（識別データ生成デバイス），上記メニュー・リクエスト・データ受信手段によってメニュー・リクエスト・データを受信したことに応じて，上記メニュー・ページに埋め込まれている複数のＵＲＬを変換するＵＲＬ変換手段（ＵＲＬ変換デバイス），および上記ＵＲＬ変換手段によって変換されたＵＲＬが埋め込まれているメニュー・ページを表すメニュー・ページ・ファイルを上記クライアント端末装置に送信するメニュー・ページ・ファイル送信手段（メニュー・ページ・ファイル送信デバイス）を備えている。
上記クライアント端末装置は，上記代理サーバの上記メニュー・ページ・ファイル送信手段から送信されたメニュー・ページ・ファイルを受信するメニュー・ページ・ファイル受信手段（メニュー・ページ・ファイル受信デバイス），および上記メニュー・ページ・ファイル受信手段によって受信したメニュー・ページ・ファイルによって表されるメニュー・ページに埋め込まれている複数のＵＲＬのうち一のＵＲＬによって表されるウェブ・ページをリクエストするリクエスト・データを上記代理サーバに送信する第１のリクエスト・データ送信手段（第１のリクエスト・データ送信デバイス）を備えている。
上記代理サーバは，上記クライアント端末装置の上記第１のリクエスト・データ送信手段から送信されたリクエスト・データを受信する第１のリクエスト・データ受信手段（第１のリクエスト・データ受信デバイス），上記第１のリクエスト・データ受信手段によってリクエスト・データを受信したことに応じて，受信したリクエスト・データによって表される変換後のＵＲＬを変換前のＵＲＬに戻すＵＲＬ逆変換手段（ＵＲＬ逆変換デバイス），上記ＵＲＬ逆変換手段によって変換前のものに戻されたＵＲＬと上記識別データ生成手段によって生成された識別データとを対応して記憶するように記憶手段を制御する記憶制御手段（記憶制御デバイス），および上記ＵＲＬ逆変換手段によって戻されたＵＲＬによって特定されるウェブ・ページをリクエストするリクエスト・データを，上記複数のコンテンツ・サーバのうち，戻されたＵＲＬのウェブ・ページによって表されるコンテンツ・サーバに送信する第２のリクエスト・データ送信手段（第２のリクエスト・データ送信デバイス）をさらに備えている。
上記コンテンツ・サーバは，上記代理サーバの上記第２のリクエスト・データ送信手段から送信されたリクエスト・データを受信する第２のリクエスト・データ受信手段（第２のリクエスト・データ受信デバイス），および上記第２のリクエスト・データ受信手段によって受信したリクエスト・データによりリクエストされたウェブ・ページのデータを上記代理サーバに送信する第１のウェブ・ページ・データ送信手段（第１のウェブ・ページ・データ送信デバイス）を備えている。
上記代理サーバは，上記コンテンツ・サーバの上記第１のウェブ・ページ・データ送信手段から送信されたウェブ・ページ・データを受信するウェブ・ページ・データ受信手段（ウェブ・ページ・データ受信デバイス），および上記ウェブ・ページ・データ受信手段によって受信したウェブ・ページ・データを上記クライアント端末装置に送信する第２のウェブ・ページ・データ送信手段（第２のウェブ・ページ・データ送信デバイス）をさらに備えている。
この発明によると，クライアント端末装置から代理サーバに，複数のコンテンツ・サーバのウェブ・ページを示すＵＲＬが埋め込まれているメニュー・ページをリクエストするメニュー・リクエスト・データが送信され，代理サーバにおいて受信される。すると，代理サーバにおいて識別データが生成されるとともに，メニュー・ページに埋め込まれている複数のＵＲＬが変換される。変換されたＵＲＬが埋め込まれているメニュー・ページを表すメニュー・ページ・ファイルが代理サーバからクライアント端末装置に送信される。
メニュー・ページ・ファイルがクライアント端末装置において受信されると，メニュー・ページが表示され，そのメニュー・ページに埋め込まれているＵＲＬが選択される。選択されたＵＲＬをリクエストするリクエスト・データがクライアント端末装置から代理サーバに送信される。
リクエスト・データが代理サーバにおいて受信されると，そのリクエスト・データによってリクエストされるウェブ・ページのＵＲＬが変換後のものから変換前のものに戻される。変換前のＵＲＬと識別データとが対応して記憶されるとともに，戻されたＵＲＬによって特定されるウェブ・ページをリクエストするリクエスト・データが，その特定されウェブ・ページのコンテンツ・サーバに送信される。
リクエスト・データがコンテンツ・サーバにおいて受信されると，そのリクエスト・データよりリクエストされたウェブ・ページ・データが代理サーバに送信される。
ウェブ・ページ・データが代理サーバにおいて受信されると，その受信されたウェブ・ページ・データが代理サーバからクライアント端末装置に送信される。クライアント端末装置において，ウェブ・ページ・データによって表されるウェブ・ページが表示される。
代理サーバには，識別データに対応して，クライアント端末装置からリクエストされたコンテンツ・サーバのＵＲＬが記憶されるので，そのクライアント端末装置によるコンテンツ・サーバのアクセス履歴が分かる。クライアント端末装置が代理サーバを介して複数のコンテンツ・サーバにアクセスしてもアクセス履歴が分かるようになる。
上記通信システムを構成する代理サーバを単独で構成してもよいし，その代理サーバの制御方法および制御プログラムを提供するようにしてもよい。
【図面の簡単な説明】
【０００４】
第１図は，通信システムの概要を示している。
第２図は，メニュー・ページの一例である。
第３図は，ウェブ・ページの一例である。
第４図は，ウェブ・ページの一例である。
第５図は，メニュー・ページの一例である。
第６図は，ウェブ・ページの一例である。
第７図は，ウェブ・ページの一例である。
第８図は，サービス・リスト・テーブルの一例である。
第９図は，ＵＲＬ変換／逆変換テーブルの一例である。
第１０図は，セッション情報テーブルの一例である。
第１１図は，ログ・テーブルの一例である。
第１２図は，クライアント端末装置の処理手順を示すフローチャートである。
第１３図は，代理サーバの処理手順を示すフローチャートである。
第１４図は，コンテンツ・サーバの処理手順を示すフローチャートである。
【発明を実施するための最良の形態】
【０００５】
第１図は，この発明の実施例による通信システムの全体構成を示している。
この実施例による通信システムには，携帯電話に代表されるクライアント端末装置（携帯電話に限らない）１０と代理サーバ（プロキシ・サーバ）２０とが含まれている。代理サーバ２０には，コンテンツ・サーバ１〜５が接続されている。クライアント端末装置１０と代理サーバ２０とは，直接に通信可能であり，代理サーバ２０とコンテンツ・サーバ１〜５とも直接に通信可能である。クライアント端末装置１０とコンテンツ・サーバ１〜５とは直接には通信せずに，代理サーバ２０を介して通信される。
クライアント端末装置１０には，後述する動作を制御するクライアント・プログラム１１がインストールされている。クライアント端末装置１０には，ＣＰＵ，ウェブ・ページ（メニュー・ページ）を表示するための表示装置，代理サーバ２０と通信するための通信装置，各種指令を与えるためのキーパッド，メモリなどが含まれている（いずれも図示略）。
代理サーバ２０には，後述する動作を制御するサーバ・プログラム２１がインストールされている。このサーバ・プログラム２１は，ＣＤ−ＲＯＭ（コンパクト・ディスク−リード・オンリ・メモリ）に代表される記録媒体に格納されている，ＣＤ−ＲＯＭドライブ（図示略）によって，そのサーバ・プログラム２１が読み取られて代理サーバ２０にインストールされる。もちろん，他のサーバ等から送信されたサーバ・プログラム２１を受信して代理サーバ２０にインストールされるようにしてもよい。代理サーバ２０には，後述する各種テーブル，その他のデータを記憶するハードディスク２２も含まれている。このハードディスク２２は，ハードディスク・ドライブ（図示略）によってアクセスされる。
コンテンツ・サーバ１〜５のそれぞれにも，後述する動作を制御するサーバ・プログラムがインストールされている。コンテンツ・サーバ１〜５のそれぞれにも，クライアント端末装置１０の表示装置に表示されるウェブ・ページのデータなどが格納されているハードディスクが内蔵されている。
代理サーバ２０，コンテンツ・サーバ１〜５のそれぞれにもＣＰＵ，表示装置，通信装置，メモリ，ハードディスク・ドライブ，キーボードなどが含まれている。
第２図は，ｄｏｍｅｉｎ．ｃｏｍというＵＲＬをもつメニュー・ページの一例である。
ｄｏｍｅｉｎ．ｃｏｍというＵＲＬをもつメニュー・ページ３０には，「メール操作」という第１の文字列３１，「公式サイト」という第２の文字列３２，「社内サイト」という第３の文字列３３，「ファイル・サーバ」という第４の文字列３３，「データベース・アクセス」という第５の文字列３５が含まれている。これらの第１から第５の文字列３１〜３５はクリッカブルなもので，ホットテキストとなっている。これらの第１の文字列から第５の文字列３１，３２，３３，３４，３５には，第１のコンテンツ・サーバ１，第２のコンテンツ・サーバ２，第３のコンテンツ・サーバ３，第４のコンテンツ・サーバ４，第５のコンテンツ・サーバ５のウェブ・ページのＵＲＬ「ｈｔｔｐ：／／ｗｅｂｍａｉｌ」，「ｈｔｔｐ：／／ｏｆｆｉｃｉａｌ」，「ｈｔｔｐ：／／ｃｏｍｐａｎｙ」，「ｈｔｔｐ：／／ｆｉｌｅｓｅｒｖｅｒ」，「ｈｔｔｐ：／／ｄａｔａｂａｓｅ」にリンクが張られている。
第３図は，ｈｔｔｐ：／／ｗｅｂｍａｉｌというＵＲＬをもつｗｅｂｍａｉｌページの一例である。
Ｗｅｂｍａｉｌページには，「メール作成」という第１の文字列６１および「ファイル・サーバへ」という第２の文字列６２が含まれている。第１の文字列６１および第２の文字列６２のいずれもクリッカブルなものであり，ホットテキストである。第１の文字列６１には，ｗｅｂｍａｉｌ．ｎｅｗ．ｈｔｍｌというＵＲＬをもつウェブ・ページにリンクが張られている。第２の文字列６２には，「ｈｔｔｐ：／／ｆｉｌｅｓｅｒｖｅｒ」にリンクが張られている。
第４図は，ｈｔｔｐ：／／ｆｉｌｅｓｅｒｖｅｒというＵＲＬをもつｆｉｌｅｓｅｒｖｅｒページの一例である。
ｆｉｌｅｓｅｒｖｅｒページには，「ファイルをアップロード」という文字列８１が含まれている。この文字列８１は，クリッカブルなものであり，ホットテキストである。文字列８１には，ｆｉｌｅｓｅｒｖｅｒ．ｕｐｌｏａｄ．ｈｔｍｌというＵＲＬをもつウェブ・ページにリンクが張られている。
第２図に示すメニュー・ページ３０が表示されている場合において，第１の文字列３１がクリックされると，第１のコンテンツ・サーバ１と通信されて第１の文字列３１のリンク先である第３図に示すｗｅｂｍａｉｌページ６０が表示されるようになる。同様に，第２図に示すメニュー・ページ３０が表示されている場合において，第２の文字列３２，第３の文字列３３，第４の文字列，第５の文字列３５がクリックされると，第２の文字列３２，第３の文字列３３，第４の文字列，第５の文字列３５のそれぞれのリンク先のウェブ・ページを表すデータが格納されている第２のコンテンツ・サーバ２，第３のコンテンツ・サーバ３，第４のコンテンツ・サーバ４，第５のコンテンツ・サーバ５と通信されて，それぞれのウェブ・ページが表示される。たとえば，メニュー・ページ３０の第４の文字列３４がクリックされると，第４のコンテンツ・サーバ４と通信されて，第４図に示すｆｉｌｅｓｅｒｖｅｒページが表示されるようになる。
第３図に示すｗｅｂｍａｉｌページ６０が表示されている場合において，第１の文字列６１がクリックされると，第１のコンテンツ・サーバ１と通信されてｗｅｂｍａｉｌ．ｎｅｗ．ｈｔｍｌというＵＲＬをもつウェブ・ページが表示される。また，第２の文字列６２がクリックされると，第４のコンテンツ・サーバ４と通信されて第４図に示すｆｉｌｅｓｅｒｖｅｒページが表示されるようになる。
この実施例においては，第２図に示すメニュー・ページ３０がクライアント端末装置１０においてリクエストされると，第５図に示すメニュー・ページがクライアント端末装置１０の表示装置の表示画面に表示される。
第５図は，メニュー・ページの一例である。
メニュー・ページ４０は，第２図に示すメニュー・ページ３０と同様に，「メール操作」という第１の文字列４１，「公式サイト」という第２の文字列４２，「社内サイト」という第３の文字列４３，「ファイル・サーバ」という第４の文字列４３，「データベース・アクセス」という第５の文字列４５が含まれている。これらの第１から第５の文字列４１〜４５はクリッカブルなもので，ホットテキストとなっている。これらの第１の文字列から第５の文字列４１，４２，４３，４４，４５には，それぞれ，「ｈｔｔｐ：／／ｄｏｍｅｉｎ．ｃｏｍ／１．ｈｔｍｌ」，「ｈｔｔｐ：／／ｄｏｍｅｉｎ．ｃｏｍ／２．ｈｔｍｌ」，「ｈｔｔｐ：／／ｄｏｍｅｉｎ．ｃｏｍ／３．ｈｔｍｌ」，「ｈｔｔｐ：／／ｄｏｍｅｉｎ．ｃｏｍ／４．ｈｔｍｌ」，「ｈｔｔｐ：／／ｄｏｍｅｉｎ．ｃｏｍ／５．ｈｔｍｌ」がリンク先のＵＲＬとして埋め込まれている。
第２図に示すメニュー・ページ３０と第５図に示すメニュー・ページ４０とを比べれば分かるように，埋め込まれているリンク先のＵＲＬが変換されている。
また，この実施例においては，第３図に示すｗｅｂｍａｉｌページがクライアント端末装置１０においてリクエストされると，第６図に示すｗｅｂｍａｉｌページがクライアント端末装置１０の表示装置の表示画面に表示される。
第６図は，ｗｅｂｍａｉｌページ７０の一例である。
ｗｅｂｍａｉｌページ７０には，第３図に示すｗｅｂｍａｉｌページ６０と同様に，「メール作成」という第１の文字列７１および「ファイル・サーバへ」という第２の文字列７２が含まれている。第１の文字列７１には，ｘ１．ｈｔｍｌがリンク先のＵＲＬとして埋め込まれ，第２の文字列７２には，ｙ１．ｈｔｍｌがリンク先のＵＲＬとして埋め込まれている。このように，第６図に示すｗｅｂｍａｉｌページ７０では，第３図に示すｗｅｂｍａｉｌページ６０と比べて埋め込まれているリンク先のＵＲＬが変換されている。
第７図は，ｆｉｌｅｓｅｒｖｅｒページ９０の一例である。
Ｆｉｌｅｓｅｒｖｅｒページ９０には，第４図に示すｆｉｌｅｓｅｒｖｅｒページ８０と同様に，「ファイルをアップロード」という文字列９１が含まれている。この文字列９１には，ｙ１．ｈｔｍｌがリンク先のＵＲＬとして埋め込まれている。第７図に示すｆｉｌｅｓｅｒｖｅｒページ９０では，第４図に示すｆｉｌｅｓｅｒｖｅｒページ８０と比べて埋め込まれているリンク先のＵＲＬが変換されている。
第８図から第１１図は，代理サーバに記憶される各種テーブルの一例である。
第８図は，サービス・リスト・テーブルの一例である。
サービス・リスト・テーブルは，代理サーバ２０と接続されているコンテンツ・サーバ１〜５のＵＲＬおよびそれらのコンテンツ・サーバ１〜５において提供可能なサービスを示すものである。サービスを識別するサービスＩＤに対応してコンテンツ・サーバ１〜５のＵＲＬおよびサービス名が格納されている。
第９図は，ＵＲＬ変換／逆変換テーブルの一例である。
ＵＲＬ変換／逆変換テーブルは，上述の第２図〜第４図に示すようにメニュー・ページ３０またはウェブ・ページ６０，８０に埋め込まれているリンク先のＵＲＬを，第５図〜第７図に示すようにメニュー・ページ４０，ウェブ・ページ７０，９０に埋め込まれているリンク先のＵＲＬと変換された場合の変換前後のＵＲＬを格納するものである。また，ＵＲＬ変換／逆変換テーブルには，変換前後のＵＲＬが埋め込まれているリンク元のメニュー・ページまたはウェブ・ページのＵＲＬ（リンク元ＵＲＬ）も格納されている。
さらに，ＵＲＬ変換／逆変換テーブルには，リンク元ＵＲＬが示すサービスＩＤ（元サービスＩＤ）およびセッションＩＤ（識別データ）も格納されている。セッションＩＤは，クライアント端末装置１０が代理サーバ２０にメニュー・ページをリクエストした場合に発生するもので，そのセッションＩＤを用いて後述のように，クライアント端末装置１０がコンテンツ・サーバ１〜５と代理サーバ２０を介して通信したかが分かる。
第１０図は，セッション情報テーブルの一例である。
セッション情報テーブルは，通信システムにおける通信において発生するセッション情報（クッキー）を格納するものである。セッション情報テーブルには，セッション・データと有効期限とが，セッションＩＤおよびサービスＩＤに対応して格納される。
第１１図は，ログ・テーブルの一例である。
ログ・テーブルは，クライアント端末装置１０がリクエストしたウェブ・ページのＵＲＬをセッションＩＤごとに格納するものである。ログ・テーブルには，リクエストしたウェブ・ページのＵＲＬ（変換前のリンク先ＵＲＬ）とそのリクエストを発生させるリンク元のＵＲＬ（リクエストしたＵＲＬが埋め込まれていたリンク元のＵＲＬ）が格納される。また，ログ・テーブルにはリクエストしたときの時刻も格納される。
第１２図から第１４図は，通信システムの処理手順を示すフローチャートである。
切断状態からクライアント端末装置１０が代理サーバ２０にアクセスする度に，クライアント端末装置１０から代理サーバ２０にメニュー・ページ・リクエストが送信される（第１２図ステップ１０１でＹＥＳ，ステップ１０２）。
クライアント端末装置１０から送信されたメニュー・ページ・リクエストが代理サーバ２０において受信されると（第１３図ステップ１１１でＹＥＳ），メニュー・ページ・リクエストがあった後からクライアント端末装置１０と代理サーバ２０との通信が切断されるまでの一連の処理を識別するためのセッションＩＤが生成される（第１３図ステップ１１２）。また，代理サーバ２０において，第２図に示すメニュー・ページ３０が生成される（第１３図ステップ１１３）。
メニュー・ページ３０が生成されると，そのメニュー・ページ３０に埋め込まれているリンク先のＵＲＬが第５図に示すように変換されて新たなメニュー・ページ４０が生成される（第１３図ステップ１１８）。変換前後のリンク先ＵＲＬがＵＲＬ変換／逆変換テーブルに格納される。また，セッション・データが存在する場合には，そのセッション・データがセッション情報テーブルに格納される（第１３図ステップ１１９）。必要であれば，ログ・テーブルに，メニュー・ページ３０にアクセスした旨のログ情報が格納される。もっとも，メニュー・ページ３０についての処理では，クライアント端末装置１０は，コンテンツ・サーバ１〜５と代理サーバ２０を介して通信しないので，必ずしもログ情報をログ・テーブルに格納しなくてもよい（このために，第１１図に示すログ・テーブルには，メニュー・ページ３０にクライアント端末装置１０がアクセスしたことを示すログ情報は格納されていない）。
第５図に示すように，埋め込まれているリンク先のＵＲＬが変換されたメニュー・ページ４０を表すメニュー・ページ・データが代理サーバ２０からクライアント端末装置１０に送信される（第１３図ステップ１２１）。
代理サーバ２０から送信されたメニュー・ページ・データがクライアント端末装置１０において受信される（第１２図ステップ１０５）。すると，そのメニュー・ページ・データによって表される第５図に示すメニュー・ページ４０がクライアント端末装置１０の表示装置の表示画面に表示される（第１２図ステップ１０６）。
クライアント端末装置１０のユーザによって，メニュー・ページ４０に表示されている第１の文字列４１から第５の文字列４５のうちのいずれかの文字列がクリックされる。すると，そのクリックされた文字列に埋め込まれているリンク先のＵＲＬによって特定されるウェブ・ページのリクエストがクライアント端末装置１０から代理サーバ２０に送信される（第１２図ステップ１０３でＹＥＳ，ステップ１０４）。
クライアント端末装置１０から送信されたウェブ・ページ・リクエストが代理サーバ２０において受信される（第１３図ステップ１１４でＹＥＳ）。すると，リクエストされたウェブ・ページのＵＲＬがＵＲＬ変換／逆変換テーブルを参照して，変換前のＵＲＬに戻される。
クライアント端末装置１０の表示装置の表示画面に第５図に示すメニュー・ページ４０が表示され，ユーザによって，第１の文字列４１がクリックされたものとする。すると，第１の文字列４１には，変換されたＵＲＬとしてｈｔｔｐ：／／ｄｏｍｅｉｎ．ｃｏｍ／１．ｈｔｍｌが埋め込まれているから，このｈｔｔｐ：／／ｄｏｍｅｉｎ．ｃｏｍ／１．ｈｔｍｌをＵＲＬにもつウェブ・ページのリクエストがクライアント端末装置１０から代理サーバ２０に送信される。ｈｔｔｐ：／／ｄｏｍｅｉｎ．ｃｏｍ／１．ｈｔｍｌというＵＲＬは，代理サーバ２０においてｈｔｔｐ：／／ｗｅｂｍａｉｌというＵＲＬが変換された後のものであるから，代理サーバ２０において変換前のＵＲＬであるｈｔｔｐ：／／ｗｅｂｍａｉｌに戻されることとなる。
コンテンツ・サーバ１〜５の中から，変換前のＵＲＬによって特定されるコンテンツ・サーバに，その変換前のＵＲＬによって特定されるウェブ・ページのリクエストが送信される（第１３図ステップ１１６）。
代理サーバ２０から送信されたウェブ・ページ・リクエストがコンテンツ・サーバ１〜５のうちのいずれかのコンテンツ・サーバにおいて受信されると（第１４図ステップ１３１），そのリクエストに応じたウェブ・ページ・データが，そのいずれかのコンテンツ・サーバから代理サーバ２０に送信される（第１４図ステップ１３２）。
コンテンツ・サーバから送信されたウェブ・ページ・データが代理サーバ２０において受信されると（第１３図ステップ１１７），メニュー・ページと同様に，ウェブ・ページに埋め込まれているリンク先のＵＲＬが変換される（第１３図ステップ１１８）。セッション・データがセッション情報テーブルに格納され（第１３図ステップ１１９），ログ情報がログ・テーブルに格納される（第１３図ステップ１２０）。埋め込まれたリンク先が変換されたウェブ・ページ・データが代理サーバ２０からクライアント端末装置１０に送信される（第１３図ステップ１２１）。
代理サーバ２０から送信されたウェブ・ページ・データがクライアント端末装置１０において受信されると（第１２図ステップ１０５），そのウェブ・ページ・データによって表されるウェブ・ページがクライアント端末装置１０の表示装置の表示画面に表示される（第１２図ステップ１０６）。ウェブ・ページに含まれているホット・テキストがクリックされることにより，そのウェブ・ページに埋め込まれているリンク先のＵＲＬのウェブ・ページがリクエストされるのは，メニュー・ページのときと同様である。
上述したように，第５図に示すメニュー・ページ４０に含まれる第１の文字列４１がクリックされると，その文字列４１に埋め込まれているリンク先のＵＲＬがｈｔｔｐ：／／ｄｏｍｅｉｎ／１．ｈｔｍｌから変換前のｈｔｔｐ：／／ｗｅｂｍａｉｌに戻され，第１のコンテンツ・サーバ１にｈｔｔｐ：／／ｗｅｂｍａｉｌのＵＲＬをもつ第３図に示すｗｅｂｍａｉｌページのリクエストが送信される。すると，コンテンツ・サーバ１から代理サーバ２０に第３図に示すｗｅｂｍａｉｌページを表すデータが送信される。
代理サーバ２０において，第３図に示すｗｅｂｍａｉｌページを表すデータが受信されると，代理サーバ２０において第６図に示すように，埋め込まれているリンク先のＵＲＬが変換され，変換されたＵＲＬが埋め込まれたｗｅｂｍａｉｌページ７０が生成される。リンク先の変換前後のＵＲＬが変換／逆変換テーブルに格納されて，第６図に示すｗｅｂｍａｉｌページ７０を表すデータが代理サーバ２０からクライアント端末装置１０に送信される。
クライアント端末装置１０において，第６図に示すｗｅｂｍａｉｌページ７０が表示され，ユーザによって，第１の文字列７１または第２の文字列７２がクリックされる。第１の文字列７１がクリックされると，ｘ１．ｈｔｍｌのＵＲＬのリクエストが代理サーバ２０に送信され，代理サーバ２０において，変換前のＵＲＬであるｗｅｂｍａｉｌ．ｎｅｗ．ｈｔｍｌに戻される。戻されたＵＲＬから第１のコンテンツ・サーバにウェブ・ページ・リクエストが送信されて，コンテンツ・サーバから代理サーバに，そのリクエストに応じたウェブ・ページ・データが送信されることとなる。
第２の文字列７２がクリックされると，ｙ１．ｈｔｍｌのＵＲＬのリクエストが代理サーバ２０に送信され，代理サーバ２０において，変換前のＵＲＬであるｈｔｔｐ：／／ｆｉｌｅｓｅｒｖｅｒに戻される。戻されたＵＲＬから第４のコンテンツ・サーバ４にウェブ・ページ・リクエストが送信される。第４のコンテンツ・サーバ４から代理サーバ２０に，第４図に示すｆｉｌｅｓｅｒｖｅｒページ８０を表すデータが送信される。代理サーバ２０において，第４図に示すｆｉｌｅｓｅｒｖｅｒページ８０から，第７図に示すように埋め込まれたリンク先が変換されたｆｉｌｅｓｅｒｖｅｒページ９０が生成される。Ｆｉｌｅｓｅｒｖｅｒページ９０を表すデータが代理サーバ２０からクライアント端末装置１０に送信される。
このように，代理サーバ２０において，ウェブ・ページ等に埋め込まれているリンク先のＵＲＬが変換され，変換前後のＵＲＬが第９図に示すようにＵＲＬ変換／逆変換テーブルに格納されるので，ＵＲＬを変換しても，変換前のＵＲＬに戻して，コンテンツ・サーバにアクセスすることができる。また，クライアント端末装置１０からリクエストされたＵＲＬは，変換前のＵＲＬに戻されて第１１図に示すようにセッションＩＤとともにログ・テーブルに格納される。ログ・テーブルを参照することにより，クライアント端末装置１０が要求したＵＲＬの履歴が分かる。とくに，代理サーバ２０に複数のコンテンツ・サーバ１〜５が接続されていても，コンテンツ・サーバ１〜５のうちどのコンテンツ・サーバにアクセスしたかが分かるようになる。
また，セッション情報を代理サーバ２０が記憶しているので，セッション情報を利用できないクライアント端末装置１０であってもそのセッション情報を管理できる。
【図１】
2009110622.tif 000003
【図２】
2009110622.tif 000004
【図３】
2009110622.tif 000005
【図４】
2009110622.tif 000006
【図５】
2009110622.tif 000007
【図６】
2009110622.tif 000008
【図７】
2009110622.tif 000009
【図８】
2009110622.tif 000010
【図９】
2009110622.tif 000011
【図１０】
2009110622.tif 000012
【図１１】
2009110622.tif 000013
【図１２】
2009110622.tif 000014
【図１３】
2009110622.tif 000015
【図１４】
2009110622.tif 000016
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
クライアント端末装置と代理サーバと複数のコンテンツ・サーバとを備えた通信システムを構成する代理サーバにおいて，
上記複数のコンテンツ・サーバのウェブ・ページを示す複数のＵＲＬがリンク先として埋め込まれているウェブ・ページにおいて，埋め込まれている複数のＵＲＬを変換するＵＲＬ変換手段，
上記ＵＲＬ変換手段によって変換された複数のＵＲＬが埋め込まれているウェブ・ページを表すウェブ・ページ・データを上記クライアント端末装置に送信するウェブ・ページ・データ送信手段，
上記ウェブ・ページ・データ送信手段によってウェブ・ページ・データが上記クライアント端末装置に送信されたことに応じて，上記クライアント端末装置において選択され，かつ上記クライアント端末装置から送信された上記複数のＵＲＬのうちの一のＵＲＬによって表されるウェブ・ページをリクエストするリクエスト・データを受信するウェブ・ページ・リクエスト受信手段，
上記ウェブ・ページ・リクエスト受信手段によって受信したリクエスト・データにより表される変換後のＵＲＬを変換前のＵＲＬに戻すＵＲＬ逆変換手段，
上記ＵＲＬ逆変換手段によって変換前のものに戻されたＵＲＬを記憶するように記憶手段を制御する記憶制御手段，
上記ＵＲＬ逆変換手段によって戻されたＵＲＬによって特定されるウェブ・ページをリクエストするリクエスト・データを，上記複数のコンテンツ・サーバのうち，変換前のものに戻されたＵＲＬのウェブ・ページによって表されるコンテンツ・サーバに送信するリクエスト・データ送信手段，
上記リクエスト・データ送信手段から送信されたリクエスト・データが上記コンテンツ・サーバにおいて受信されたことに応じて，上記コンテンツ・サーバから送信されるウェブ・ページ・データを受信するウェブ・ページ・データ受信手段，および
上記ウェブ・ページ・データ受信手段によって受信されたウェブ・ページ・データによって表されるウェブ・ページに，上記コンテンツ・サーバのウェブ・ページを示すＵＲＬがリンク先として埋め込まれているときに，埋め込まれているＵＲＬを変換するように上記ＵＲＬ変換手段を制御するＵＲＬ変換制御手段，
を備えた代理サーバ。
【請求項２】
上記ＵＲＬ変換手段は，
上記複数のＵＲＬのリンク先として埋め込まれているウェブ・ページにおいて埋め込まれている複数のＵＲＬのそれぞれを，埋め込まれているそれぞれのＵＲＬが含まれないＵＲＬに変換するものである，
請求項１に記載の代理サーバ。
【請求項３】
上記記憶制御手段は，
上記ＵＲＬ逆変換手段によって変換前のものに戻されたＵＲＬと上記ＵＲＬ変換手段によって変換された後のＵＲＬと変換前後のＵＲＬが埋め込まれているウェブ・ページのＵＲＬとを記憶するように記憶手段を制御するものである，
請求項１または２に記載の代理サーバ。
【請求項４】
クライアント端末装置と代理サーバと複数のコンテンツ・サーバとを備えた通信システムを構成する代理サーバの制御方法において，
ＵＲＬ変換手段が，上記複数のコンテンツ・サーバのウェブ・ページを示す複数のＵＲＬがリンク先として埋め込まれているウェブ・ページにおいて，埋め込まれている複数のＵＲＬを変換し，
ウェブ・ページ・データ送信手段が，上記ＵＲＬ変換手段によって変換された複数のＵＲＬが埋め込まれているウェブ・ページを表すウェブ・ページ・データを上記クライアント端末装置に送信し，
ウェブ・ページ・リクエスト受信手段が，上記ウェブ・ページ・データ送信手段によってウェブ・ページ・データが上記クライアント端末装置に送信されたことに応じて，上記クライアント端末装置において選択され，かつ上記クライアント端末装置から送信された上記複数のＵＲＬのうちの一のＵＲＬによって表されるウェブ・ページをリクエストするリクエスト・データを受信し，
ＵＲＬ逆変換手段が，上記ウェブ・ページ・リクエスト受信手段によって受信したリクエスト・データにより表される変換後のＵＲＬを変換前のＵＲＬに戻し，
記憶制御手段が，上記ＵＲＬ逆変換手段によって変換前のものに戻されたＵＲＬを記憶するように記憶手段を制御し，
リクエスト・データ送信手段が，上記ＵＲＬ逆変換手段によって戻されたＵＲＬによって特定されるウェブ・ページをリクエストするリクエスト・データを，上記複数のコンテンツ・サーバのうち，変換前のものに戻されたＵＲＬのウェブ・ページによって表されるコンテンツ・サーバに送信し，
ウェブ・ページ・データ受信手段が，上記リクエスト・データ送信手段から送信されたリクエスト・データが上記コンテンツ・サーバにおいて受信されたことに応じて，上記コンテンツ・サーバから送信されるウェブ・ページ・データを受信し，
ＵＲＬ変換制御手段が，上記ウェブ・ページ・データ受信手段によって受信されたウェブ・ページ・データによって表されるウェブ・ページに，上記コンテンツ・サーバのウェブ・ページを示すＵＲＬがリンク先として埋め込まれているときに，埋め込まれているＵＲＬを変換するように上記ＵＲＬ変換手段を制御する，
代理サーバの制御方法。
【請求項５】
クライアント端末装置と代理サーバと複数のコンテンツ・サーバとを備えた通信システムを構成する代理サーバを制御するプログラムであって，
上記複数のコンテンツ・サーバのウェブ・ページを示す複数のＵＲＬがリンク先として埋め込まれているウェブ・ページにおいて，埋め込まれている複数のＵＲＬをＵＲＬ変換手段によって変換させ，
変換された複数のＵＲＬが埋め込まれているウェブ・ページを表すウェブ・ページ・データを上記クライアント端末装置に送信させ，
ウェブ・ページ・データが上記クライアント端末装置に送信されたことに応じて，上記クライアント端末装置において選択され，かつ上記クライアント端末装置から送信された上記複数のＵＲＬのうちの一のＵＲＬによって表されるウェブ・ページをリクエストするリクエスト・データを受信させ，
受信したリクエスト・データにより表される変換後のＵＲＬを変換前のＵＲＬに戻させ，
変換前のものに戻されたＵＲＬを記憶するように記憶手段を制御させ，
戻されたＵＲＬによって特定されるウェブ・ページをリクエストするリクエスト・データを，上記複数のコンテンツ・サーバのうち，変換前のものに戻されたＵＲＬのウェブ・ページによって表されるコンテンツ・サーバに送信させ，
送信されたリクエスト・データが上記コンテンツ・サーバにおいて受信されたことに応じて，上記コンテンツ・サーバから送信されるウェブ・ページ・データを受信させ，
受信されたウェブ・ページ・データによって表されるウェブ・ページに，上記コンテンツ・サーバのウェブ・ページを示すＵＲＬがリンク先として埋め込まれているときに，埋め込まれているＵＲＬを変換するように上記ＵＲＬ変換手段を制御するように代理サーバを制御するプログラム。
【国際調査報告】
2009110622.tif 000017
2009110622.tif 000018